(57)【特許請求の範囲】
【請求項１】
ユーザによる特殊再生要求を入力する入力手段で入力された特殊再生要求に基づいて、データ受信側に送信される送信データ、及び当該送信データに関するメタデータとして、特殊再生のためのデータ変換及び多重化のためのスケジューリングに必要となるエレメンタリストリーム中のアクセスユニットに関する情報であるアクセスユニット情報が記憶されるデータ記憶手段からメタデータを読み出し、読み出したメタデータを、特殊再生要求に含まれる特殊再生の種類に基づいて変換するメタデータ変換手段と、
上記メタデータ変換手段で変換されたメタデータに従って上記データ記憶手段に記憶された送信データを読み出して、読み出した送信データからメタデータに従った特殊再生データを生成する生成手段と、
上記データ記憶手段に記憶されたメタデータに基づいて上記生成手段により生成された特殊再生用データとエレメンタリストリームを用いた多重化のスケジューリングを決定するスケジューリング手段と、
上記スケジューリング手段で決定されたスケジューリングに従って上記生成手段により生成された特殊再生データとエレメンタリストリームとを用いて多重化をして多重化ストリームを生成する多重化手段と
を備えるデータ変換装置。
【請求項２】
上記データ記憶手段には、
上記メタデータとして、送信データのアクセスユニットごとのデータサイズ情報、復号時刻情報、表示時刻情報、符号発生量制御用の仮想バッファの占有量を示す占有量情報、符号化方式の種類を示す符号化種類情報、クローズドＧＯＰフラグを含み、特殊再生のためのデータ変換及び多重化のためのスケジューリングに必要となるエレメンタリストリーム中のアクセスユニットに関する情報であるアクセスユニット情報が記憶されている請求項１に記載のデータ変換装置。
【請求項３】
上記メタデータ変換手段は、
上記データ記憶手段に記憶されたアクセスユニット情報を読み出すことで、全てのマクロブロックがスキップマクロブロックで構成されることにより予測元画像を繰り返すことを示し、ビデオデータを接続する際に表示順を保存するために挿入するリピートピクチャのデータサイズ及び枚数を決定する処理、特殊再生の為のデータ変換におけるビデオデータの並び替えを実行する処理を実行する請求項１又は２に記載のデータ変換装置。
【請求項４】
上記メタデータ変換手段は、
上記データ記憶手段に記憶されたアクセスユニット情報を読み出し、上記データ記憶手段から読み出した通常再生時におけるアクセスユニット情報を、全てのマクロブロックがスキップマクロブロックで構成されることにより予測元画像を繰り返すことを示し、ビデオデータを接続するために挿入するリピートピクチャのアクセスユニット情報に置換する処理を実行する請求項１又は２に記載のデータ変換装置。
【請求項５】
外部からソース信号を入力してエレメンタリストリームに符号化する処理と、符号化して得たエレメンタリストリームに関する情報であるメタデータを生成する処理とを実行する符号化手段を更に備え、
上記記憶手段には、
上記符号化手段で得たエレメンタリストリーム及びメタデータが記憶されており、
上記メタデータ変換手段は、
上記入力手段で入力された特殊再生要求に基づいて、上記データ記憶手段からメタデータを読み出し、読み出したメタデータを、特殊再生要求に含まれる特殊再生の種類に基づいて変換し、
上記生成手段は、
上記メタデータ変換手段で変換されたメタデータに従って上記データ記憶手段に記憶されたエレメンタリストリームを読み出して、読み出したエレメンタリストリームからメタデータに従った特殊再生用データを生成する請求項１に記載のデータ変換装置。
【請求項６】
外部からエレメンタリストリームが入力されるデータ入力手段と、
上記データ入力手段で入力されたエレメンタリストリームから当該エレメンタリストリームに関する情報であるメタデータを抽出するメタデータ抽出手段とを備え、
上記データ記憶手段には、上記データ入力手段で入力されたエレメンタリストリーム、及び上記メタデータ抽出手段で抽出されたメタデータが記憶されており、
上記メタデータ変換手段は、
上記入力手段で入力された特殊再生要求に基づいて、上記データ記憶手段からメタデータを読み出し、読み出したメタデータを、特殊再生要求に含まれる特殊再生の種類に基づいて変換し、
上記生成手段は、
上記メタデータ変換手段で変換されたメタデータに従って上記データ記憶手段に記憶されたエレメンタリストリームを読み出して、読み出したエレメンタリストリームからメタデータに従った特殊再生用データを生成し、
更に、上記生成手段で生成された特殊再生用データをデータ受信側に送信する送信手段を備える請求項１に記載のデータ変換装置。
【請求項７】
ユーザによる特殊再生要求の入力を受け付ける入力ステップと、
上記入力ステップで入力された特殊再生要求に基づいて、データ受信側に送信される送
信データ、及び当該送信データに関するメタデータとして、特殊再生のためのデータ変換及び多重化のためのスケジューリングに必要となるエレメンタリストリーム中のアクセスユニットに関する情報であるアクセスユニット情報が記憶されるデータ記憶手段からメタデータを読み出し、読み出したメタデータを、特殊再生要求に含まれる特殊再生の種類に基づいて変換するメタデータ変換ステップと、
上記メタデータ変換ステップで変換されたメタデータに従って上記データ記憶手段に記
憶された送信データを読み出して、読み出した送信データからメタデータに従った特殊再
生用データを生成する生成ステップと、
上記データ記憶手段に記憶されたメタデータに基づいて上記生成ステップで生成された特殊再生用データとエレメンタリストリームを用いた多重化のスケジューリングを決定するスケジューリングステップと、
上記スケジューリングステップで決定されたスケジューリングに従って上記生成ステップで生成された特殊再生データとエレメンタリストリームとを用いて多重化をして多重化ストリームを生成する多重化ステップと
を含むデータ変換方法。
【発明の詳細な説明】
【０００１】
【発明の属する技術分野】
本発明は、例えば動画像データ等のマルチメディアデータを、ネットワークを介して配信して、受信端末側で特殊再生をするためのデータ変換装置及び方法に関する。
【０００２】
【従来の技術】
ビデオデータやオーディオデータ等からなるマルチメディアデータを圧縮して蓄積し伝送媒体を介してサーバ装置からデータ配信をし、データ受信側である復号端末において受信し、復号して映像を表示するような従来のデータ配信システムが知られている。
【０００３】
従来のデータ配信システムを家庭内のネットワークで使用する場合、ビデオデータとして例えばＩＳＯ／ＩＥＣ１３８１８−２（ＭＰＥＧ−２ｖｉｄｅｏ）に準拠してエンコードされたビデオデータが使用される。ＩＳＯ／ＩＥＣ１３８１８−２に規定されているビデオデータは、ＭＰＥＧ２規格に準拠したｖｂｖバッファと呼ばれるデコーダバッファをオーバーフロー及びアンダーフローさせないように符号化されることが規定されている。
【０００４】
すなわち、図１４において、ｖｂｖバッファの占有量をｖｂｖバッファのバッファサイズ（ｖｂｖ＿ｂｕｆｆｅｒ＿ｓｉｚｅ）以上にオーバーフローさせず、ｖｂｖバッファの占有量をアンダーフローさせないようにビデオデータを各ＤＴＳ（Decode Time Stamp）で符号化する必要がある。ここで、ｖｂｖバッファは、ビデオデータの伝送レート（占有量の軌跡の傾き）でビデオデータが入力され、デコードされるタイミング（ＤＴＳ）でビデオデータが引き抜かれる。
【０００５】
例えばデータサイズＳ（ｎ）のｎ番目のビデオフレームｎは、復号時刻ＤＴＳ（ｎ）においてｖｂｖバッファから引き抜かれる。ｖｂｖバッファから引き抜かれるビデオデータは、復号時刻までにｖｂｖバッファに入力されていることが必要であり、ビデオフレームのデータが入力し始めてから、ビデオフレームの復号時刻までの時間は、ｖｂｖディレイ（ｖｂｖ＿ｄｅｌａｙ）と呼ばれ、そのフレームを符号化したデータのヘッダ中に符号化される。
【０００６】
ＩＳＯ／ＩＥＣ１３８１８−２のビデオフレームの符号化方法には、フレーム内データのみから符号化するＩピクチャ（I(Intra)-Picture）と、フレーム間の動き予測を利用して符号化するＢピクチャ（B(Bidirectionally predictive)-Picture）及びＰピクチャ（P(Predictive)-Picture）がある。Ｂピクチャの表示時刻は復号時刻に等しいが、Ｉピクチャ及びＰピクチャの表示時刻はそれらのピクチャが予測に使用されているために、次のＩピクチャ及びＰピクチャの復号時刻に等しい。
【０００７】
また、従来のデータ配信システムでは、伝送するビデオデータとして例えばＩＳＯ／ＩＥＣ１３８１８−１（ＭＰＥＧ−２システム）で規定されているトランスポートストリーム（Transport Stream：ＴＳ）を使用してエレメンタリストリームデータをパケット化し、他のエレメンタリストリームデータ等と時分割多重化することが行われている。エレメンタリストリームデータ中で、ビデオのピクチャのような復号単位をアクセスユニットと呼ぶ。ＴＳをパケット化するときには、図１５（ａ）に示す複数のアクセスユニット（ＡＵ）からなるエレメンタリストリームを、先ず図１５（ｂ）に示すＰＥＳパケットと呼ばれるパケット構造にパケット化する。ＰＥＳパケットのヘッダには、ＰＥＳパケット中で最初に開始するアクセスユニットの時間情報（復号時刻、表示時刻）が符号化されることがある。ＰＥＳパケットは、更に図１５（ｃ）に示すように、トランスポートパケットにパケット化され、他のトランスポートパケットと時分割多重化することにより１本の多重化ストリームに多重化される。ＰＥＳパケットの先頭バイトには、トランスポートパケットのペイロードの先頭にアラインしなければならないため、必要に応じてスタッフィングデータが挿入される。
【０００８】
また、従来のデータ配信システムでは、伝送するビデオデータとして例えばＩＳＯ／ＩＥＣ１３８１８−１（ＭＰＥＧ−２システム）で規定されているトランスポートストリーム（Transport Stream：ＴＳ）を使用してビデオデータをパケット化し、他のデータ等と多重化することが行われている。ＴＳのＩＳＯ／ＩＥＣ１３８１８−１では、ＴＳを復号するために、図１６に示すようなデコーダモデルが規定されている。
【０００９】
このデコーダモデルは、入力されたＴＳを切換出力するスイッチ部１０１、トランスポートバッファ（ＴＢ）１０２、マルチプレクシングバッファ（ＭＢ）１０３、エレメンタリバッファ（ＥＢ）１０４、ビデオデコーダ（Ｄ）１０５、リオーダバッファ１０６、スイッチ部１０７からなり、入力されたＴＳからビデオパケットがスイッチ部１０１により選択されて入力レートでトランスポートバッファ１０２に送られ、各バッファ１０２、１０３、１０４を介してビデオデコーダ１０５でデコードされてビデオ出力される。
【００１０】
このようなデコーダモデルでは、それぞれのバッファサイズが決められたトランスポートバッファ１０２、マルチプレクシングバッファ１０３、エレメンタリバッファ１０４から構成され、各バッファ間のデータ転送レートも規定されている。
【００１１】
このデコーダモデルにおいて、エレメンタリバッファ１０４はビデオデータについてのｖｂｖバッファに相当し、ＩＳＯ／ＩＥＣ１３８１８−１では、それぞれのバッファをオーバーフロー若しくはアンダーフローさせないようにパケット化する必要性を規定している。
【００１２】
すなわち、多重化データ中のアライメント制約やデコーダモデルを満足させるためには、サーバ装置側では、アクセスユニットのサイズ及び時間情報に応じた多重化スケジュールを決定することが必要である。サーバ装置側で特殊再生用にエレメンタリストリームデータを変換すると、エレメンタリストリーム中のアクセスユニットのサイズや時間情報が変更されるため、特殊再生用にデータ変換が行われた後段で、実時間処理による多重化が必要となる。
【００１３】
多重化装置としては、複数のエレメンタリストリームを多重化して多重化データを生成するオーサリングシステムが、例えば特開平９−１６２８３０号公報において知られている。この多重化装置は、アクセスユニットサイズと時間情報からなるアクセスユニット情報を生成する符号化装置、アクセスユニット情報を入力としてエレメンタリストリームを分析すること無しに多重化のスケジューリングを行い多重化データを生成するものである。
【００１４】
【発明が解決しようとする課題】
特殊再生に対応したデータ配信システムのサーバ装置２００、復号端末３００としては、例えば図１７に示すように構成されるものが考えられる。
【００１５】
このデータ配信システムでは、サーバ装置２００内にデータ記憶部２０１、特殊再生指定信号が入力される特殊再生制御部２０２、特殊再生制御部２０２からの特殊再生指定信号に基づく特殊再生制御信号に従って特殊再生用データを作成するデータ変換部２０３、多重化部２０４、送信部２０５を備え、復号端末３００内に伝送媒体４００を介してサーバ装置２００から伝送データを受信する受信部３０１、受信部３０１からの特殊再生用データを復号して図示しない表示装置に表示してユーザに提示する復号部３０２を備えて構成されている。
【００１６】
このようなデータ配信システムにおいて、データ変換部２０３は、特殊再生制御部２０２から特殊再生制御信号が供給されるとともに、データ記憶部２０１からビデオデータを入力するデコーダ、デコーダで復号されたデータを変換するエンコーダを備える。
【００１７】
デコーダは、特殊再生制御部２０２からの特殊再生制御信号に従って、指定されたビデオデータを、特殊再生の種類に応じて最適な読み出し手法でデータ記憶部２０１から読み出す。デコーダは、例えば特殊再生の種類として、早送り再生をすることを要求する特殊再生制御信号が入力されたときには、復号に使用しないＢピクチャを読み飛ばすようにデータ変換部２０３からビデオデータを読み出す。
【００１８】
デコーダは、読み出したビデオデータに復号処理をして、復号済ビデオ信号としてエンコーダに供給する。ここで、復号済ビデオ信号は、データ記憶部２０１から読み出されることで特殊再生の結果が反映されている。
【００１９】
エンコーダは、デコーダからの復号済ビデオ信号にエンコード処理をし、エンコードすることで特殊再生用ビデオデータとして多重化部２０４に出力する。このエンコーダでエンコードされた特殊再生用ビデオデータは、上述のデコーダで読み出されたビデオデータが特殊再生の結果が反映されているので、特殊再生の種類に応じたビデオデータとなっている。例えば、ビデオデータの符号化方法として、ＩＳＯ／ＩＥＣ１３８１８−２に準じたエンコードを行う場合、エンコーダ７０２から出力される特殊再生用ビデオデータは、ＩＳＯ／ＩＥＣ１３８１８−２の規定を満たすデータである。
【００２０】
多重化部２０４は、多重化データ中のアライメント制約や、デコーダモデルを満足させる多重化スケジュールを決定するために、入力される特殊再生用データを分析し、データサイズや時間情報を抽出する必要がある。
【００２１】
このようなサーバ装置２００により早送り再生や一時停止等の特殊再生をするための特殊再生用データを伝送媒体４００を介して復号端末３００に送信するときには、ユーザの特殊再生要求を指定した特殊再生要求指定が特殊再生制御部２０２に入力される。これに応じ、データ変換部２０３は、データ記憶部２０１からエレメンタリストリームデータを読み出して、特殊再生指定に応じた特殊再生用データに変換する。従って、サーバ装置２００で特殊再生を実現するために、エレメンタリストリームデータを変換する必要があり、必ずリアルタイム処理において多重化を行う必要が発生し、予め送出する多重化データをデータ記憶部２０１に記憶しておくことはできない。
【００２２】
また、上述のデータ変換部２０３では、でオーダ及びエンコーダによりビデオデータを再符号化するので、処理負荷が大きく、画質が劣化するおそれがある。また、データ変換にかかる処理遅延が大きくなり、結果として特殊再生指定が入力されてから、実際に復号端末３００で特殊再生の内容が表示されるまでの遅延が増大してしまう。
【００２３】
一方、デコーダ及びエンコーダにより再エンコードを行うこと無しに、ビットストリーム上の切り換えにより特殊再生用データに変換する手法も考えられる。例えば、特殊再生の種類として一意停止を行う際に、通常再生用のエレメンタリストリーム中に前の画像と等しいことを表すリピートピクチャを挿入する。ＭＰＥＧ−２ｖｉｄｅｏにおけるリピートピクチャとは、全てのマクロブロックがスキップマクロブロックで構成されることにより予測元画像を繰り返すことを示すピクチャであり、データサイズが小さいため、スタッフィングデータを加えることによりｖｂｖバッファを破綻させないようなデータサイズとすることができるものである。
【００２４】
このようなサーバ装置２００のデータ変換部２０３がエレメンタリストリームデータを指定された特殊再生用データに変換して出力するような場合、多重化部２０４は、多重化データ中のアライメント制約やデコーダモデルを満足させる多重化スケジュールを決定するために、入力される変換済エレメンタリストリームデータを分析し、データサイズや時間情報を抽出する必要があった。多重化部２０４は、特殊再生のために変換を行って送出するという性質上、多重化処理を実時間においてなされていなければならない。特に、多重化すべきエレメンタリストリームの数が、ビデオ、オーディオ、字幕等と増加するにつれ、エレメンタリストリームデータの分析処理が増大してしまう。また、多重化部２０４は、ビデオデータが高解像度化若しくは高レート化するにつれて分析処理が増大してしまう。
【００２５】
更に、多重化部２０４は、同じエレメンタリストリームを異なる組み合わせで複数回多重化して送出するときにも、その都度エレメンタリストリームデータの分析処理を行わなければならない。
【００２６】
更にまた、上述のサーバ装置２００において、データ変換部２０３は、通常再生用のエレメンタリストリームデータを読み込んで変換する際に、多重化部２０４における問題点と同様に、エレメンタリストリームの数やレートが増大すると、変換処理及び入出力処理の処理が膨大に増加してしまう。
【００２７】
そこで、本発明は、上述したような実情に鑑みて提案されたものであり、通常再生用データを特殊再生用データに効率良く変換するためのデータ変換装置及び方法を提供することを目的とする。
【００２８】
【課題を解決するための手段】
本発明に係るデータ変換装置は、上述の課題を解決するために、ユーザによる特殊再生要求を入力する入力手段で入力された特殊再生要求に基づいて、データ受信側に送信される送信データ、及び当該送信データに関するメタデータとして、特殊再生のためのデータ変換及び多重化のためのスケジューリングに必要となるエレメンタリストリーム中のアクセスユニットに関する情報であるアクセスユニット情報が記憶されるデータ記憶手段からメタデータを読み出し、読み出したメタデータを、特殊再生要求に含まれる特殊再生の種類に基づいて変換するメタデータ変換手段と、上記メタデータ変換手段で変換されたメタデータに従って上記データ記憶手段に記憶された送信データを読み出して、読み出した送信データからメタデータに従った特殊再生データを生成する生成手段と、上記データ記憶手段に記憶されたメタデータに基づいて上記生成手段により生成された特殊再生用データとエレメンタリストリームを用いた多重化のスケジューリングを決定するスケジューリング手段と、上記スケジューリング手段で決定されたスケジューリングに従って上記生成手段により生成された特殊再生データとエレメンタリストリームとを用いて多重化をして多重化ストリームを生成する多重化手段とを備える。
【００２９】
本発明に係るデータ変換方法は、上述の課題を解決するために、ユーザによる特殊再生要求の入力を受け付ける入力ステップと、上記入力ステップで入力された特殊再生要求に基づいて、データ受信側に送信される送信データ、及び当該送信データに関するメタデータとして、特殊再生のためのデータ変換及び多重化のためのスケジューリングに必要となるエレメンタリストリーム中のアクセスユニットに関する情報であるアクセスユニット情報が記憶されるデータ記憶手段からメタデータを読み出し、読み出したメタデータを、特殊再生要求に含まれる特殊再生の種類に基づいて変換するメタデータ変換ステップと、上記メタデータ変換ステップで変換されたメタデータに従って上記データ記憶手段に記憶された送信データを読み出して、読み出した送信データからメタデータに従った特殊再生用データを生成する生成ステップと、上記データ記憶手段に記憶されたメタデータに基づいて上記生成ステップで生成された特殊再生用データとエレメンタリストリームを用いた多重化のスケジューリングを決定するスケジューリングステップと、上記スケジューリングステップで決定されたスケジューリングに従って上記生成ステップで生成された特殊再生データとエレメンタリストリームとを用いて多重化をして多重化ストリームを生成する多重化ステップとを含む。
【００４３】
【発明の実施の形態】
以下、本発明の実施の形態について図面を参照しながら詳細に説明する。
【００４４】
本発明は、例えば図１に示すようなデータ配信システムに適用される。
【００４５】
このデータ配信システムは、蓄積したデータを配信するサーバ装置１と、サーバ装置１と伝送媒体２０を介して接続された復号端末１０とを備える。
【００４６】
サーバ装置１は、エレメンタリストリームデータ、メタデータを記憶するデータ記憶部２、特殊再生制御部３、データ変換部４、スケジューリング部５、多重化データ生成部６、送信部７を備えて構成されている。
【００４７】
データ記憶部２には、サーバ装置１から復号端末１０に伝送媒体２０を介して伝送するエレメンタリストリームデータが格納されている。このデータ記憶部２は、データ変換部４からの要求に従って、エレメンタリストリームデータを読み出して多重化データ生成部６に出力する。
【００４８】
また、データ記憶部２は、データ変換部４からの特殊再生に関する要求に従ってメタデータを読み出し、データ変換部４に出力する。
【００４９】
本例では、このデータ記憶部２にビデオを示すエレメンタリストリームのみが記憶されている場合について説明するが、静止画像データ、オーディオデータ、テキストデータ、及びグラフィックデータ等のマルチメディアデータであっても良い。
【００５０】
特殊再生制御部３には、ユーザが特殊再生を要求する特殊再生指定信号が入力される。この特殊再生制御部３に入力される特殊再生指定信号は、例えば早送り再生やコマ送り再生等の特殊再生の種類、データ記憶部２に格納されているビデオデータの指定を含む。この特殊再生制御部３は、特殊再生指定信号に従って、特殊再生の種類、ビデオデータの指定を含む特殊再生制御信号をデータ変換部４に供給する。
【００５１】
データ変換部４は、特殊再生制御信号に従って、データ記憶部２から指定されたメタデータを入力し、入力したメタデータに特殊再生の種類に応じたデータ変換処理をする。このとき、データ変換部４は、指定されたエレメンタリストリームのメタデータをデータ変換部４から読み出しながら、指定された種類の特殊再生を行った結果を示す特殊再生用メタデータに変換する。データ変換部４は、変換した特殊再生用メタデータを多重化データ生成部６に供給する。
【００５２】
スケジューリング部５は、データ変換部４からの特殊再生用メタデータを参照して、多重化のスケジューリングを行う。このとき、スケジューリング部５は、本願出願人が先に出願した特開平９−１６２８３０号公報に記載された処理をすることで、特殊再生用メタデータを利用した多重化スケジューリングを行う。このスケジューリング部５は、多重化データ生成部６で行う多重化のスケジューリング内容を示す多重化スケジュール情報を多重化データ生成部６に供給する。
【００５３】
多重化データ生成部６は、スケジューリング部５からの多重化スケジュール情報に基づいて、データ記憶部２からエレメンタリストリームデータを多重化して多重化データを生成して送信部７に供給する。このとき、スケジューリング部５は、本願出願人が先に出願した特開平９−１６２８３０号公報に記載された処理をすることで多重化を行う。
【００５４】
送信部７は、多重化データ生成部６からの多重化データを、伝送媒体２０を介して伝送するための形式に変換することで、伝送データとして、伝送媒体２０を介して復号端末１０に送信する。
【００５５】
復号端末１０は、伝送媒体２０を介してサーバ装置１と接続された受信部１１、復号部１２を備えて構成されている。
【００５６】
受信部１１は、伝送媒体２０を介してサーバ装置１の送信部７から送信された伝送データを受信する。この受信部１１は、伝送データを後段の復号部１２で処理可能なデータ形式に変換することで、特殊再生用ビデオデータにして復号部１２に供給する。
【００５７】
復号部１２は、受信部１１からの特殊再生用ビデオデータを復号して、図示しない表示装置に出力することで、特殊再生用ビデオデータの内容を表示させる。
【００５８】
つぎに、メタデータについて説明する。
【００５９】
上述のサーバ装置１においてデータ記憶部２に記憶されているメタデータとしては、例えばアクセスユニット情報がある。アクセスユニット情報とは、特殊再生のためのデータ変換及び多重化のためのスケジューリングに必要となるエレメンタリストリーム中のアクセスユニットに関する情報である。
【００６０】
例えば、特殊再生としてジャンプ再生を行う場合のＩＳＯ／ＩＥＣ１３８１８−２で規定されている方式で符号化されたビデオエレメンタリストリームを用いるときのサーバ装置１の動作について説明する。ここで、ジャンプ再生とは、特定のビデオフレームにジャンプして再生を継続する特殊再生のことである。
【００６１】
図２はジャンプ再生に使用する通常再生用のビデオデータと、ｖｂｖバッファのビット占有量の軌跡を示し、図３はジャンプ再生をしたときの特殊再生用ビデオデータとｖｂｖバッファのビット占有量の軌跡を示す。図２及び図３では、Ｐピクチャのアクセスユニット（ｍ−１）からＩピクチャのアクセスユニット（ｎ）にジャンプ再生する場合を示す。
【００６２】
多重化データ生成部６は、アクセスユニット（ｍ−１）からアクセスユニット（ｎ）に直接接続すると、ｖｂｖバッファと呼ばれるデコーダバッファのビット占有量の軌跡が不整合となるために、ｖｂｖバッファを破綻させてしまい、正しいＭＰＥＧ−２のビデオデータとはならない。また、アクセスユニット（ｍ−１）の直後にアクセスユニット（ｎ）を接続すると、本来は復号時刻ＤＴＳ（ｍ＋２）に等しいアクセスユニット（ｍ−１）の表示時刻が、変換後のアクセスユニット（ｎ）の復号時刻（ｍ）に変化してしまうという問題が発生する。すなわち、多重化データ生成部６でＭＰＥＧ−２ＴＳに多重化している場合に、ＴＳ中のＰＥＳパケットヘッダ内に符号化している表示時刻と矛盾が発生してしまう。
【００６３】
これに対し、多重化データ生成部６は、ビデオデータの接続を行う場合には、図３に示すように、アクセスユニット（ｍ−１）とアクセスユニット（ｎ）との間に、リピートピクチャＢr1と、リピートピクチャＢr2を挿入し、アクセスユニット（ｍ−１）の表示時刻を保持するとともに、ｖｂｖバッファのビット占有量の軌跡を連続させるという処理を行う。
【００６４】
図１に示すサーバ装置１のデータ変換部４では、図２に示したような通常再生用データの変換を、エレメンタリストリームを入力とせずに、アクセスユニット情報のみを入力として行う。すなわち、データ変換部４は、データ記憶部２に記憶されている通常再生用データを多重化データ生成部６に読み出し、特殊再生の対象となる通常再生用データのアクセスユニット情報を入力する。
【００６５】
上述したジャンプ再生をするときには、データ変換部４は、図４に示す通常再生用データのアクセスユニット情報をデータ記憶部２から読み出して、図５に示す特殊再生用データのアクセスユニット情報に変換して、スケジューリング部５に出力する。
【００６６】
アクセスユニット情報は、アクセスユニットごとのデータサイズ情報と、復号時刻情報、表示時刻情報、データ記憶部２内の記憶位置を示す情報からなる。データ記憶部２に記憶されているエレメンタリストリームがビデオデータであるときには、特に、ｖｂｖバッファのビット占有量を示すビット占有量情報（vbv_delay）、符号化予測の種類を示すピクチャタイプを示すピクチャタイプ情報、ランダムアクセス可能性を示すフラグであるクローズドＧＯＰ（group of picture）フラグからなる。
【００６７】
ＭＰＥＧ−２方式に従ったビデオデータの場合、Ｂピクチャの表示時刻は復号時刻に等しく、Ｉピクチャ及びＰピクチャの表示時刻は次のＩピクチャ若しくはＰピクチャの復号時刻に等しい。表示時刻情報及び復号時刻情報は、ピクチャタイプと、ＲＦＦ（repeat_fast_field）フラグにより算出可能なため、ピクチャタイプとＲＦＦフラグにより代用しても良い。
【００６８】
このクローズドＧＯＰフラグは、データ記憶部２内の記録位置に基づいて生成されたものである。クローズドＧＯＰフラグは、ピクチャが時間的に前のピクチャからの予測を使用しているか否かを示す。すなわち、クローズドＧＯＰフラグは、ジャンプ再生等の特殊再生によって時間的に前のデータが差し替えられても、時間的に後のピクチャを正確に復号できるか否かを示す。
【００６９】
データ変換部４は、上述したアクセスユニット情報を読み出すことで、図２及び図３で示した特殊再生の為のデータ変換におけるビデオデータの並び替えや、ビデオデータを接続するために挿入するリピートピクチャのデータサイズ及び枚数を決定する。
【００７０】
データ変換部４は、クローズドＧＯＰフラグによりアクセスユニット（ｎ）以前のデータが切り換えられても、アクセスユニット（ｎ）以降のデータを正しく復号できるか否かを判定する。
【００７１】
また、データ変換部４は、図２及び図３に示すように、アクセスユニット（ｍ−１）からアクセスユニット（ｎ）にジャンプ再生する場合、アクセスユニット情報中のピクチャタイプから、アクセスユニット（ｍ−１）の表示順番を保存するために挿入することが必要なリピートピクチャの枚数を決定する。図４に示す一例において、データ変換部４は、アクセスユニット（ｍ−１）に続くＢピクチャがアクセスユニット（ｍ）とアクセスユニット（ｍ＋１）の２枚とする。この枚数を変化させないためには、データ変換部４は、アクセスユニット情報を参照して２枚のリピートＢピクチャを挿入すると判定する。
【００７２】
ビデオデータを接続する際のリピートピクチャのデータサイズは、アクセスユニット（ｍ）及びアクセスユニット（ｎ）のｖｂｖディレイの値とビデオデータのレートに基づいて一意に決定することが可能である。
【００７３】
これにより、データ変換部４は、リピートピクチャについてのアクセスユニット情報を図４に示したアクセスユニット情報に挿入して、図５に示したアクセスユニット情報とする。
【００７４】
したがって、このようなデータ変換部４を備えたサーバ装置１では、データ記憶部２に記憶されているエレメンタリストリーム自体を変換することなく、アクセスユニット情報の変換を行って特殊再生用データを作成することができるため、変換時の処理負担を飛躍的に簡易化することができる。
【００７５】
上述したように変換されたアクセスユニット情報は、多重化を行うためのスケジューリング部５に入力される。スケジューリング部５には、多重化対象のエレメンタリストリームが複数存在する場合には、全てのエレメンタリストリームに対するアクセスユニット情報が入力される。また、スケジューリング部５は、アクセスユニット情報が入力されているため、図１６に示したような多重化データの為のデコーダモデルのバッファの破綻、表示時刻情報及び復号時刻情報の符号化方式、アライメント規則を守るようにエレメンタリストリームを選択し、バケット化順番やパケット長をスケジューリングをする多重化スケジュール情報を作成する。
【００７６】
多重化スケジュール情報は、パケット化する際のヘッダ情報、パケットのペイロードとして多重化する対象のデータの特定、及びＰＳＩ（Program Specific Infomation）と呼ばれる多重化データ特有の情報パケットである。
【００７７】
このようなスケジューリング部５によれば、多重化のためのスケジュールを、エレメンタリストリームを分析することなく決定することができるため、アクセスユニット情報が変換されているか否かに依存することがない。したがって、スケジューリング部５によれば、特殊再生用データを作成する処理を飛躍的に簡易化することができる。
【００７８】
また、スケジューリング部５によれば、入力されるアクセスユニット情報が特殊再生用に変換済であるので、データ記憶部２に記憶されているエレメンタリストリーム自体が変換されていないのにも拘わらず変換済のエレメンタリストリームを多重化するためのスケジューリングを行うことができる。
【００７９】
多重化データ生成部６は、スケジューリング部５が決定した多重化スケジュール情報に基づいてデータ記憶部２からパケット化対象のデータを選択し、多重化スケジュール情報で指定されたデータ長を読み出し、多重化スケジュール情報で指定されたパケットヘッダを付加することで多重化データを作成する。多重化データ生成部６は、多重化スケジュール情報が特殊再生用に変換済のアクセスユニット情報に基づいて決定されるため、特殊再生の結果を反映したエレメンタリストリームからなる多重化データを作成する。
【００８０】
このような多重化データ生成部６によれば、多重化スケジュール情報を参照して多重化データを作成しているため、特殊再生が行われているか否かに依存するようなことはない。これにより、サーバ装置１は、特殊再生のための変換をデータ変換部４により反映させているために、データ配信に使用する伝送媒体２０、データ配信先の復号端末１０、復号端末１０中の受信部１１及び復号部１２が特殊再生をするための特別な機能を有していなくても、特殊再生の内容を反映したデータを伝送して、特殊再生の内容を復号端末１０側に提示することができる。
【００８１】
つぎに、特殊再生の種類としてジャンプ再生を指定する特殊再生指定信号が特殊再生制御部３に入力されたときのデータ変換部４の処理について説明する。
【００８２】
データ変換部４は、特殊再生指定信号に基づいた特殊再生制御信号を特殊再生制御部３から入力したことに応じて、図６（ａ）に示す特殊再生制御信号に含まれる通常再生用データに関するアクセスユニット情報を、データ記憶部２から読み出す。
【００８３】
次に、データ変換部４は、特殊再生制御信号に従ってアクセスユニット（ｍ）からアクセスユニット（ｎ）にジャンプしてジャンプ再生をするときには、アクセスユニット（ｍ）以降であってアクセスユニット（ｎ）以前のデータに関するアクセスユニット情報を削除する。次に、データ変換部４は、アクセスユニット（ｍ）とアクセスユニット（ｎ）との間にリピートピクチャｒを挿入した特殊再生用データとするときには、リピートピクチャｒに関するアクセスユニット情報を挿入することで、図６（ｂ）に示すアクセスユニット情報を作成する。
【００８４】
つぎに、特殊再生の種類として一時停止を指定する特殊再生指定信号が特殊再生制御部３に入力されたときのデータ変換部４の処理について説明する。
【００８５】
データ変換部４は、特殊再生指定信号に基づいた特殊再生制御信号を特殊再生制御部３から入力したことに応じて、図７（ａ）に示す特殊再生制御信号に含まれる通常再生用データに関するアクセスユニット情報を、データ記憶部２から読み出す。
【００８６】
次に、データ変換部４は、特殊再生制御信号に従ってアクセスユニット（ｎ）からアクセスユニット（ｎ−１）まで一時停止をするときには、アクセスユニット（ｎ）とアクセスユニット（ｎ−１）との間にリピートピクチャｒ１〜ｒｉを挿入した特殊再生用データとするときには、リピートピクチャｒ１〜ｒｉに関するアクセスユニット情報を挿入することで、図７（ｂ）に示すアクセスユニット情報を作成する。
【００８７】
つぎに、特殊再生の種類として早送り再生を指定する特殊再生指定信号が特殊再生制御部３に入力されたときのデータ変換部４の処理について説明する。
【００８８】
データ変換部４は、特殊再生指定信号に基づいた特殊再生制御信号を特殊再生制御部３から入力したことに応じて、図８（ａ）に示す特殊再生制御信号に含まれる通常再生用データに関するアクセスユニット情報を、データ記憶部２から読み出す。
【００８９】
次に、データ変換部４は、特殊再生制御信号に従ってアクセスユニット（ｋ）からアクセスユニット（ｎ）まで早送り再生をするときには、アクセスユニット（ｋ）とアクセスユニット（ｎ）との間で再生するアクセスユニットを選択する。データ変換部４は、アクセスユニット（ｋ）とアクセスユニット（ｎ）との間で等間隔でアクセスユニットを選択する。
【００９０】
データ変換部４は、例えばアクセスユニット（ｍ）を選択したときには、アクセスユニット（ｋ＋１）〜アクセスユニット（ｍ−１）及びアクセスユニット（ｍ＋１）〜アクセスユニット（ｎ−１）のアクセスユニット情報をリピートピクチャのアクセスユニット情報に置き換える処理をする。データ変換部４は、アクセスユニット（ｋ＋１）〜アクセスユニット（ｍ−１）のアクセスユニット情報をリピートピクチャｒ１、ｒ２のアクセスユニット情報で置き換え、アクセスユニット（ｍ＋１）〜アクセスユニット（ｎ−１）のアクセスユニット情報をリピートピクチャｒ３、ｒ４のアクセスユニット情報で置き換える。これにより、データ変換部４は、早送り再生用の図８（ｂ）に示すアクセスユニット情報を作成する。
【００９１】
つぎに、特殊再生の種類として巻き戻し再生を指定する特殊再生指定信号が特殊再生制御部３に入力されたときのデータ変換部４の処理について説明する。
【００９２】
データ変換部４は、特殊再生指定信号に基づいた特殊再生制御信号を特殊再生制御部３から入力したことに応じて、図９（ａ）に示す特殊再生制御信号に含まれる通常再生用データに関するアクセスユニット情報を、データ記憶部２から読み出す。
【００９３】
次に、データ変換部４は、特殊再生制御信号に従ってアクセスユニット（ｎ）からアクセスユニット（ｋ）まで巻き戻し再生をするときには、アクセスユニット（ｋ）とアクセスユニット（ｎ）との間で再生するアクセスユニットを選択する。データ変換部４は、アクセスユニット（ｋ）とアクセスユニット（ｎ）との間で等間隔でアクセスユニットを選択する。
【００９４】
データ変換部４は、例えばアクセスユニット（ｍ）を選択したときには、アクセスユニット（ｋ＋１）〜アクセスユニット（ｍ−１）及びアクセスユニット（ｍ＋１）〜アクセスユニット（ｎ−１）のアクセスユニット情報をリピートピクチャのアクセスユニット情報に置き換える処理をする。データ変換部４は、アクセスユニット（ｋ＋１）〜アクセスユニット（ｍ−１）のアクセスユニット情報をリピートピクチャｒ１、ｒ２のアクセスユニット情報で置き換え、アクセスユニット（ｍ＋１）〜アクセスユニット（ｎ−１）のアクセスユニット情報をリピートピクチャｒ３、ｒ４のアクセスユニット情報で置き換える。
【００９５】
また、データ変換部４は、巻き戻し再生を開始するアクセスユニット（ｎ）のアクセスユニット情報、リピートピクチャｒ１のアクセスユニット情報、リピートピクチャｒ２のアクセスユニット情報、アクセスユニット（ｍ）のアクセスユニット情報、リピートピクチャｒ３のアクセスユニット情報、リピートピクチャｒ４のアクセスユニット情報、アクセスユニット（ｋ）のアクセスユニット情報の順に並び替える。これにより、データ変換部４は、早送り再生用の図９（ｂ）に示すアクセスユニット情報を作成する。
【００９６】
つぎに、特殊再生の種類としてスロー再生を指定する特殊再生指定信号が特殊再生制御部３に入力されたときのデータ変換部４の処理について説明する。
【００９７】
データ変換部４は、特殊再生指定信号に基づいた特殊再生制御信号を特殊再生制御部３から入力したことに応じて、図１０（ａ）に示す特殊再生制御信号に含まれる通常再生用データに関するアクセスユニット情報を、データ記憶部２から読み出す。
【００９８】
次に、データ変換部４は、特殊再生制御信号に従ってアクセスユニット（ｍ−１）からアクセスユニット（ｍ＋２）までスロー再生をするときには、アクセスユニット（ｍ−１）〜アクセスユニット（ｍ＋２）までに含まれるアクセスユニット（ｍ）、アクセスユニット（ｍ＋１）との間に同じサイズのリピートピクチャｒ１，ｒ２，ｒ３を挿入する。これにより、データ変換部４は、スロー再生用の図１０（ｂ）に示すアクセスユニット情報を作成する。
【００９９】
ここで、データ変換部４は、各ビデオデータの各アクセスユニット情報間に挿入するリピートピクチャのアクセスユニット情報の数により、各アクセスユニットの表示時刻を変化させるため、アクセスユニット（ｍ−１）の表示時刻を、次のＰピクチャであるアクセスユニット（ｍ＋２）の復号時刻と等しくなるように変更する。
【０１００】
つぎに、特殊再生の種類としてコマ送り再生を指定する特殊再生指定信号が特殊再生制御部３に入力されたときのデータ変換部４の処理について説明する。
【０１０１】
データ変換部４は、特殊再生指定信号に基づいた特殊再生制御信号を特殊再生制御部３から入力したことに応じて、図１１（ａ）に示す特殊再生制御信号に含まれる通常再生用データに関するアクセスユニット情報を、データ記憶部２から読み出す。
【０１０２】
次に、データ変換部４は、特殊再生制御信号に従ってアクセスユニット（ｍ−１）からアクセスユニット（ｍ＋５）までコマ送り再生をするときには、アクセスユニット（ｍ−１）とアクセスユニット（ｍ＋５）との間で再生するアクセスユニットを選択する。データ変換部４は、アクセスユニット（ｍ−１）とアクセスユニット（ｍ＋５）との間で等間隔でアクセスユニットを選択する。
【０１０３】
データ変換部４は、例えばアクセスユニット（ｍ＋２）を選択したときには、図１１（ｂ）に示すようにアクセスユニット（ｍ−１）〜アクセスユニット（ｍ＋２）及びアクセスユニット（ｍ＋２）〜アクセスユニット（ｍ＋５）のアクセスユニット情報をリピートピクチャのアクセスユニット情報に置き換える処理をする。データ変換部４は、アクセスユニット（ｍ＋１）〜アクセスユニット（ｍ＋２）のアクセスユニット情報をリピートピクチャｒ１、ｒ２のアクセスユニット情報で置き換え、アクセスユニット（ｍ＋２）〜アクセスユニット（ｍ＋５）のアクセスユニット情報をリピートピクチャｒ３、ｒ４のアクセスユニット情報で置き換える。
【０１０４】
また、データ変換部４は、アクセスユニット（ｍ−１）、リピートピクチャ（ｒ１）、リピートピクチャ（ｒ２）についての表示時間時刻を同じ情報とし、アクセスユニット（ｍ＋２）、リピートピクチャ（ｒ３）、リピートピクチャ（ｒ４）についての表示時間時刻を同じ情報とする。更に、データ変換部４は、置き換えたリピートピクチャｒ１，ｒ２，ｒ３，ｒ４の復号時刻情報を、置き換え前のアクセスユニット（ｍ），（ｍ＋１），（ｍ＋３），（ｍ＋４）と同じものとする。
【０１０５】
つぎに、他のサーバ装置３０の構成について図１２を参照して説明する。なお、上述のサーバ装置１と同様の部分については同一符号を付することによりその詳細な説明を省略する。
【０１０６】
サーバ装置３０は、外部からのエレメンタリストリームを入力するアクセスユニット情報抽出部３１を備える点でサーバ装置１と異なる。
【０１０７】
アクセスユニット情報抽出部３１は、入力したエレメンタリストリームから上述のアクセスユニット情報を抽出する。アクセスユニット情報抽出部３１は、例えばＭＰＥＧ２規格に準拠したビデオデータを入力したときには、ピクチャヘッダの先頭に付加されているユニークなピクチャスタートコードを検出することにより、ピクチャすなわちアクセスユニットのデータサイズを検出する。また、アクセスユニット情報抽出部３１は、ピクチャヘッダに付加されているピクチャタイプ、ｖｂｖディレイ、ＲＦＦフラグを抽出し、アクセスユニット情報に含まれる表示時刻情報、復号時刻情報を作成する。更に、アクセスユニット情報抽出部３１は、ＧＯＰヘッダに付加されているクローズドＧＯＰフラグを抽出する。
【０１０８】
データ記憶部２は、アクセスユニット情報抽出部３１で抽出されたアクセスユニット情報、外部からのエレメンタリストリームを記憶する。このデータ記憶部２は、エレメンタリストリームを記憶するときに、アクセスユニットの記憶位置をアクセスユニット情報として記憶する。
【０１０９】
このサーバ装置３０によれば、データ変換部４及びスケジューリング部５の入力となるアクセスユニット情報を生成することができ、新たなエレメンタリストリームが入力されたときでもアクセスユニット情報の抽出を行うことにより、同じエレメンタリストリームを特殊再生の種類に応じて異なる組み合わせることができる。また、このサーバ装置３０によれば、サーバ装置１と同様に、エレメンタリストリーム自体に特殊再生を行うための変換処理を行うことなく、エレメンタリストリームの分析処理を行う必要性をなくすことができる。
【０１１０】
なお、サーバ装置３０は、外部からエレメンタリストリームのみならず、多重化データを入力とすることもできる。サーバ装置３０は、多重化データを入力とした場合には、表示時刻情報及び復号時刻情報がＰＥＳパケットヘッダに含まれていれば、符号化されている値をアクセスユニット情報として抽出して、データ記憶部２に格納する。
【０１１１】
つぎに、他のサーバ装置４０の構成について図１３を参照して説明する。なお、上述のサーバ装置１と同様の部分については同一符号を付することによりその詳細な説明を省略する。
【０１１２】
サーバ装置４０は、外部から入力されたソース信号を符号化する符号化部４１を備える点でサーバ装置１と異なる。
【０１１３】
符号化部４１は、入力されたソース信号を符号化することでエレメンタリストリームとともにアクセスユニット情報を作成し、エレメンタリストリーム及びアクセスユニット情報をデータ記憶部２に出力する。
【０１１４】
符号化部４１は、ソース信号として例えばビデオソース信号をＭＰＥＧ２ビデオエレメンタリストリームデータに符号化するものである場合、符号化するに際してアクセスユニット情報を作成してデータ記憶部２に出力する。
【０１１５】
このようなサーバ装置４０では、特殊再生を行うに際してデータ変換部４及びスケジューリング部５で使用するアクセスユニット情報を生成することができる。また、このサーバ装置４０によれば、符号化部４１で符号化を行うときに、アクセスユニット情報の出力を行うことにより、アクセスユニット情報の抽出を不要とすることができ、同じエレメンタリストリームを異なる組み合わせで複数回多重化して伝送する際にも、その都度エレメンタリストリームデータの分析処理を行う必要をなくすことができる。
【０１１６】
【発明の効果】
本発明に係るデータ変換装置及び方法によれば、送信データ自体を分析して送信データの変換を行う必要がなく、メタデータを変換して送信データを変換するので、通常再生用データを特殊再生用データに効率良く変換することができる。
【０１１７】
本発明に係るデータ変換装置及び方法によれば、外部からのエレメンタリストリーム自体を分析してエレメンタリストリームの変換を行う必要がなく、メタデータを変換してエレメンタリストリームを変換するので、通常再生用データを特殊再生用データに効率良く変換することができる。
【０１１８】
本発明に係るデータ変換装置及び方法によれば、符号化したエレメンタリストリーム自体を分析してエレメンタリストリームの変換を行う必要がなく、メタデータを変換してエレメンタリストリームを変換するので、通常再生用データを特殊再生用データに効率良く変換することができる。
【０１１９】
本発明に係るデータ配信装置及び方法によれば、送信する特殊再生用データを作成するときに、送信データ自体を分析して送信データの変換を行う必要がなく、メタデータを変換して送信データを変換して送信するので、通常再生用データを特殊再生用データに効率良く変換して送信することができる。
【０１２０】
本発明に係るデータ配信装置及び方法によれば、送信する特殊再生用データを作成するときに、外部からのエレメンタリストリーム自体を分析してエレメンタリストリームの変換を行う必要がなく、メタデータを変換してエレメンタリストリームを変換して送信するので、通常再生用データを特殊再生用データに効率良く変換して送信することができる。
【０１２１】
本発明に係るデータ配信装置によれば、送信する特殊再生用データを作成するときに、符号化したエレメンタリストリーム自体を分析してエレメンタリストリームの変換して送信する必要がなく、メタデータを変換してエレメンタリストリームを変換して送信するので、通常再生用データを特殊再生用データに効率良く変換することができる。
【０１２２】
本発明に係るデータ配信システムによれば、データ配信装置から受信端末に送信する特殊再生用データを作成するときに、送信データ自体を分析して送信データの変換を行う必要がなく、メタデータを変換して送信データを変換して送信するので、通常再生用データを特殊再生用データに効率良く変換して送信することができる。
【０１２３】
本発明に係るデータ配信システムによれば、データ配信装置から受信端末に送信する特殊再生用データを作成するときに、外部からのエレメンタリストリーム自体を分析してエレメンタリストリームの変換を行う必要がなく、メタデータを変換してエレメンタリストリームを変換して送信するので、通常再生用データを特殊再生用データに効率良く変換して送信することができる。
【０１２４】
本発明に係るデータ配信システムによれば、データ配信装置から受信端末に送信する特殊再生用データを作成するときに、符号化したエレメンタリストリーム自体を分析してエレメンタリストリームの変換して送信する必要がなく、メタデータを変換してエレメンタリストリームを変換して送信するので、通常再生用データを特殊再生用データに効率良く変換することができる。
【図面の簡単な説明】
【図１】本発明を適用したデータ配信システムのサーバ装置及び復号端末の構成を示すブロック図である。
【図２】通常再生用データとｖｂｖバッファにおけるビット占有量との関係を示す図である。
【図３】特殊再生用データとｖｂｖバッファにおけるビット占有量との関係を示す図である。
【図４】通常再生用データのアクセスユニット情報を説明するための図である。
【図５】特殊再生用データのアクセスユニット情報を説明するための図である。
【図６】ジャンプ再生をしたときのアクセスユニット情報の変換について説明する図であり、（ａ）は変換前のアクセスユニット情報を示し、（ｂ）は変換後のアクセスユニット情報を示す。
【図７】一時停止をしたときのアクセスユニット情報の変換について説明する図であり、（ａ）は変換前のアクセスユニット情報を示し、（ｂ）は変換後のアクセスユニット情報を示す。
【図８】早送り再生をしたときのアクセスユニット情報の変換について説明する図であり、（ａ）は変換前のアクセスユニット情報を示し、（ｂ）は変換後のアクセスユニット情報を示す。
【図９】巻き戻し再生をしたときのアクセスユニット情報の変換について説明する図であり、（ａ）は変換前のアクセスユニット情報を示し、（ｂ）は変換後のアクセスユニット情報を示す。
【図１０】スロー再生をしたときのアクセスユニット情報の変換について説明する図であり、（ａ）は変換前のアクセスユニット情報を示し、（ｂ）は変換後のアクセスユニット情報を示す。
【図１１】コマ送り再生をしたときのアクセスユニット情報の変換について説明する図であり、（ａ）は変換前のアクセスユニット情報を示し、（ｂ）は変換後のアクセスユニット情報を示す。
【図１２】他のサーバ装置の構成を示すブロック図である。
【図１３】他のサーバ装置の構成を示すブロック図である。
【図１４】ビデオデータとｖｂｖバッファのビット占有量との関係を示す図である。
【図１５】エレメンタリストリームから多重化ストリームを作成するときの説明図である。
【図１６】ＩＳＯ／ＩＥＣ１３８１８−１において、ＴＳを復号するためのデコーダモデルについて説明するための図である。
【図１７】データ配信システムを示すブロック図である。
【符号の説明】
１  サーバ装置、２  データ記憶部、３  特殊再生制御部、４  データ変換部、５  スケジューリング部、６  多重化データ生成部、７  送信部、１０  復号端末、１１  受信部、１２  復号部、２０  伝送媒体、３０  サーバ装置、３１アクセスユニット情報抽出部、４０  サーバ装置、４１  符号化部
【図１】
0004538908.tif 000002
【図２】
0004538908.tif 000003
【図３】
0004538908.tif 000004
【図４】
0004538908.tif 000005
【図５】
0004538908.tif 000006
【図６】
0004538908.tif 000007
【図７】
0004538908.tif 000008
【図８】
0004538908.tif 000009
【図９】
0004538908.tif 000010
【図１０】
0004538908.tif 000011
【図１１】
0004538908.tif 000012
【図１２】
0004538908.tif 000013
【図１３】
0004538908.tif 000014
【図１４】
0004538908.tif 000015
【図１５】
0004538908.tif 000016
【図１６】
0004538908.tif 000017
【図１７】
0004538908.tif 000018